(57)【要約】【課題】光の損失を抑えて、原稿等の被照射体の照明効率を向上させることが可能な照明装置を提供する。【解決手段】導光部材７２に、基板７５の左端部７５ａを覆うように該基板７５の表面側（ＬＥＤアレイ７１の搭載面側）から左端部７５ａへと延在する延在部７９を設けているので、ＬＥＤアレイ７１から基板７５表面と略平行に出射された光を延在部７９により導いてコントロールすることができ、ＬＥＤアレイ７１の出射光の損失の低減を図ることが可能になる。【選択図】図３
2011142415.tif 000002
【特許請求の範囲】
【請求項１】
基板に搭載された発光素子と、発光素子からの光を被照射体に向けて導く導光部材とを備え、導光部材を透過した光により被照射体を照明する照明装置であって、
前記導光部材は、前記基板の端部を覆うように該基板の発光素子搭載面側から前記端部へと延在する延在部を有することを特徴とする照明装置。
【請求項２】
請求項１に記載の照明装置であって、
前記発光素子から出射されて前記導光部材を透過して来た光を反射して前記被照射体を照明する反射部材を備え、
前記被照射体で反射された光が通過する経路を挟むように前記発光素子と前記反射部材を配置して、前記導光部材を前記発光素子側に配置しており、
前記導光部材の延在部を通じて導かれ該延在部から出射された光が前記反射部材で反射されて前記被照射体を照明することを特徴とする照明装置。
【請求項３】
請求項１に記載の照明装置であって、
前記導光部材の延在部を切断して形成され、この延在部に導かれた光を反射するカット面を有することを特徴とする照明装置。
【請求項４】
請求項１〜３のいずれか１つに記載の照明装置であって、
前記発光素子からの光が入射する前記導光部材の光入射面は、前記基板の搭載面から立ち上がる立上がり部を含み、
前記光入射面の立上がり部は、前記発光素子から前記基板の搭載面と平行に出射された光が該立上がり部に入射して屈折し前記延在部へと導かれるような角度で前記基板の搭載面に対して傾斜していることを特徴とする照明装置。
【請求項５】
請求項１〜４のいずれか１つに記載の照明装置であって、
前記導光部材は、前記基板の搭載面及び該基板の端部に密接することを特徴とする照明装置。
【請求項６】
請求項１〜５のいずれか１つに記載の照明装置であって、
前記基板及び前記導光部材を一体的に支持するフレームを備え、
前記導光部材を前記フレームに固定したことを特徴とする照明装置。
【請求項７】
請求項１〜６のいずれか１つに記載の照明装置を備える画像読取り装置。
【請求項８】
請求項７に記載の画像読取り装置を備える画像形成装置。
【発明の詳細な説明】
【技術分野】
【０００１】
本発明は、原稿等の被照射体を照明する照明装置、その照明装置を備える画像読取り装置、その画像読取り装置を備える画像形成装置に関する。
【背景技術】
【０００２】
この種の照明装置は、例えば画像読取り装置に搭載されて用いられるものであって、原稿を読取るときの主走査方向と平行に列設された複数の発光素子（例えばＬＥＤ）を備え、これらの発光素子により原稿を照明する。画像読取り装置は、照明装置により照明されている原稿を主走査方向に沿って繰り返し走査しつつ、原稿を副走査方向にも走査して、原稿全体を読取る。この読取られた原稿の画像は、プリンター等に出力されて、記録用紙に記録される。
【０００３】
このような照明装置においては、各発光素子から出射された光の全てを原稿の読取り範囲に入射させることが望ましいが、実際には、その光の全てを原稿の読取り範囲に入射させることができず、光の損失が生じており、この光の損失の低減が望まれている。
【０００４】
このため、特許文献１では、各発光素子及び導光体を基板上に搭載して、各発光素子の光出射側に導光体を位置決めし、この導光体により各発光素子の光を集光して原稿の読取り範囲へと出射させ、また導光体を通過しなかった光を反射板で反射して原稿の読取り範囲に出射させ、これにより光の損失の低減を図っている。
【先行技術文献】
【特許文献】
【０００５】
【特許文献１】特開２００８−３５０３６号公報
【発明の概要】
【発明が解決しようとする課題】
【０００６】
しかしながら、特許文献１では、導光体を通過しなかった光を反射板で反射して原稿へと出射させているが、発光素子の光が分散光であるため、光の全てを反射板に入射させることができず、光の損失を十分に低減させることができなかった。特に、発光素子から基板表面と略平行に出射された光については、光の向きが全くコントロールされておらず、光の損失の低減が図られていない。
【０００７】
そこで、本発明は、上記従来の問題点に鑑みなされたものであり、光の損失を抑えて、原稿等の被照射体の照明効率を向上させることが可能な照明装置、その照明装置を備える画像読取り装置、その画像読取り装置を備える画像形成装置を提供することを目的とする。
【課題を解決するための手段】
【０００８】
上記課題を解決するために、本発明の照明装置は、基板に搭載された発光素子と、発光素子からの光を被照射体に向けて導く導光部材とを備え、導光部材を透過した光により被照射体を照明する照明装置であって、前記導光部材は、前記基板の端部を覆うように該基板の発光素子搭載面側から前記端部へと延在する延在部を有している。
【０００９】
このような照明装置では、導光部材に、基板の端部を覆うように該基板の発光素子搭載面側（基板表面側）から前記端部へと延在する延在部を設けている。このため、発光素子
から基板表面と略平行に出射された光が導光部材の延在部へと導かれ、この光の延在部でのコントロールが可能になり、この光の損失の低減を図ることが可能になる。
【００１０】
例えば、前記発光素子から出射されて前記導光部材を透過して来た光を反射して前記被照射体を照明する反射部材を備え、前記被照射体で反射された光が通過する経路を挟むように前記発光素子と前記反射部材を配置して、前記導光部材を前記発光素子側に配置しており、前記導光部材の延在部を通じて導かれ該延在部から出射された光が前記反射部材で反射されて前記被照射体を照明する。
【００１１】
この場合は、導光部材の延在部によって導かれた光が反射部材で反射されて被照射体を照明する。
【００１２】
あるいは、前記導光部材の延在部を切断して形成され、この延在部に導かれた光を反射するカット面を有する。
【００１３】
この場合は、導光部材の延在部によって導かれた光を該延在部のカット面で反射して、被照射体を照明することができる。
【００１４】
また、前記発光素子からの光が入射する前記導光部材の光入射面は、前記基板の搭載面から立ち上がる立上がり部を含み、前記光入射面の立上がり部は、前記発光素子から前記基板の搭載面と平行に出射された光が該立上がり部に入射して屈折し前記延在部へと導かれるような角度で前記基板の搭載面に対して傾斜している。
【００１５】
発光素子の高さが低いため、発光素子から出射された光が基板の搭載面（基板表面）と略平行になる。この基板搭載面に略平行な光は、そのような角度で傾斜している導光部材の光入射面の立上がり部に入射すると、基板の搭載面により近づく方向に屈折して、基板の端部を覆う導光部材の延在部に確実に導かれる。従って、導光部材の光入射面の立上がり部がそのような角度で傾斜している構成においては、本発明の効果が確実になる。
【００１６】
更に、前記導光部材は、前記基板の搭載面及び該基板の端部に密接している。
【００１７】
この場合は、導光部材と基板の搭載面及び端部間に隙間がなくなるため、迷光が少なくなり、光の損失が抑えられる。仮に、導光部材と基板の搭載面及び端部間に隙間がある場合は、この隙間に迷光が生じて、光の損失が増大する。
【００１８】
また、前記基板及び前記導光部材を一体的に支持するフレームを備え、前記導光部材を前記フレームに固定している。
【００１９】
このように導光部材をフレームに固定した場合は、フレームにより導光部材を補強することができる。原稿等の照明装置においては、導光部材を原稿幅よりも長くする必要があり、導光部材が棒状のものとなる。この棒状の導光部材は、反り易いものの、フレームにより補強されることにより反り難くなる。これに対して従来は、導光部材を基板に固定していたが、この基板の強度不足のため、棒状部材の反りを効果的に防止することができなかった。
【００２０】
一方、本発明の画像読取り装置は、上記本発明の照明装置を備えている。
【００２１】
また、本発明の画像形成装置は、上記本発明の画像読取り装置を備えている。
【００２２】
このような本発明の画像読取り装置及び画像形成装置は、上記本発明の照明装置を備え
ていることから、同様の作用効果を奏する。
【発明の効果】
【００２３】
このように本発明では、導光部材に、基板の端部を覆うように該基板の発光素子搭載面側（基板表面側）から前記端部へと延在する延在部を設けているので、発光素子から基板表面と略平行に出射された光は、導光部材の延在部を透過して導かれる。このため、その基板表面と略平行に出射された光の向きをコントロールして、この光の損失の低減を図ることができる。
【図面の簡単な説明】
【００２４】
【図１】本発明の照明装置の第１実施形態を適用した画像読取り装置を備える画像形成装置を示す断面図である。
【図２】図１の画像読取り装置及び原稿搬送装置を拡大して示す断面図である。
【図３】画像読取り装置における第１走査ユニットを概略的に示す断面図である。
【図４】図３の第１走査ユニットを概略的に示す斜視図である。
【図５】図４とは逆の方向から見て第１走査ユニットを概略的に示す斜視図である。
【図６】図３の第１走査ユニットの照明装置による照明状態を示す断面図である。
【図７】（ａ）は直接経路、第１及び第２間接経路における光強度を示すグラフであり、（ｂ）は第２間接経路における光強度を示すグラフである。
【図８】本の照明状態を示す図である。
【図９】原稿の後端部の照明状態を示す図である。
【図１０】本発明の照明装置の第２実施形態を適用した画像読取り装置の第１走査ユニットを概略的に示す断面図である。
【図１１】図１０の一部を拡大して示す図である。
【発明を実施するための形態】
【００２５】
以下、本発明の実施形態を添付図面を参照して詳細に説明する。
【００２６】
図１は、本発明の照明装置の第１実施形態を適用した画像読取り装置を備える画像形成装置を示す断面図である。この画像形成装置１００は、スキャナ機能、複写機能、プリンター機能、及びファクシミリ機能等を有する所謂複合機であり、画像読取り装置４１により読取られた原稿の画像を外部に送信したり（スキャナ機能に相当する）、この読取られた原稿の画像又は外部から受信した画像をカラーもしくは単色で記録用紙に記録形成する（複写機能、プリンター機能、及びファクシミリ機能に相当する）。
【００２７】
この画像形成装置１００は、画像を記録用紙に印刷するべく、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等を備えている。
【００２８】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２、感光体ドラム３、帯電器５、及びクリーナ装置４は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００２９】
各感光体ドラム３は、それらの表面に光感光層を有している。各帯電器５は、それぞれの感光体ドラム３の表面を所定の電位に均一に帯電させるための帯電手段であり、接触型であるローラ型やブラシ型の帯電器のほか、チャージャー型の帯電器が用いられる。
【００３０】
レーザ露光装置１は、レーザダイオード及び反射ミラーを備えたレーザスキャニングユニット（ＬＳＵ）であり、帯電された各感光体ドラム３表面を画像データに応じて露光して、それらの表面に画像データに対応する静電潜像を形成する。
【００３１】
各現像装置２は、それぞれの感光体ドラム３表面に形成された静電潜像を各色のトナーにより現像し、これらの感光体ドラム３表面にトナー像を形成する。各クリーナ装置４は、現像及び画像転写後にそれぞれの感光体ドラム３表面に残留したトナーを除去及び回収する。
【００３２】
中間転写ベルト装置８は、各感光体ドラム３の上方に配置されており、中間転写ベルト７、中間転写ベルト駆動ローラ２１、従動ローラ２２、４つの中間転写ローラ６、及び中間転写ベルトクリーニング装置９を備えている。
【００３３】
中間転写ベルト７は、厚さ１００μｍ〜１５０μｍ程度のフィルムを無端ベルト状に形成したものである。中間転写ベルト駆動ローラ２１、各中間転写ローラ６、従動ローラ２２等は、中間転写ベルト７を張架して支持し、中間転写ベルト７を矢印Ｃ方向に周回移動させる。
【００３４】
各中間転写ローラ６は、中間転写ベルト７近傍に回転可能に支持され、中間転写ベルト７を介してそれぞれの感光体ドラム３に押圧されている。
【００３５】
各感光体ドラム３表面のトナー像が中間転写ベルト７に順次重ねて転写されて、中間転写ベルト７上にカラーのトナー像（各色のトナー像）が形成される。各感光体ドラム３から中間転写ベルト７へのトナー像の転写は、中間転写ベルト７裏面に圧接されている各中間転写ローラ６によって行われる。各中間転写ローラ６は、直径８〜１０ｍｍの金属（例えばステンレス）軸をベースとし、その表面が導電性の弾性材（例えばＥＰＤＭ、発泡ウレタン等）により覆われたローラである。各中間転写ローラ６には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００３６】
こうして各感光体ドラム３表面のトナー像は、中間転写ベルト７で積層され、画像データによって示されるカラーのトナー像となる。このカラーのトナー像は、中間転写ベルト７と共に搬送され、中間転写ベルト７と２次転写装置１１の転写ローラ１１ａ間のニップ域で記録用紙上に転写される。
【００３７】
２次転写装置１１の転写ローラ１１ａには、中間転写ベルト７上の各色のトナー像を記録用紙に転写させるための電圧（トナーの帯電極性（−）とは逆極性（＋）の高電圧）が印加されている。また、中間転写ベルト７と２次転写装置１１の転写ローラ１１ａ間のニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００３８】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００３９】
記録用紙は、中間転写ベルト７と２次転写装置１１の転写ローラ１１ａ間のニップ域でカラーのトナー像を転写された後、定着装置１２へと搬送される。定着装置１２は、加熱ローラ３１及び加圧ローラ３２等を備えており、加熱ローラ３１と加圧ローラ３２間に記録用紙を挟み込んで搬送する。
【００４０】
加熱ローラ３１は、図示しない温度検出器の検出出力に基づき、所定の定着温度となるように制御されており、加圧ローラ３２と共に記録用紙を熱圧着することにより、記録用紙に転写されたカラーのトナー像を溶融、混合、圧接し、記録用紙に対して熱定着させる。
【００４１】
一方、給紙トレイ１０は、記録用紙を格納しておくためのトレイであり、画像形成装置１００の下部に設けられて、トレイ内の記録用紙を供給する。
【００４２】
画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、搬送ローラ１３、及び排紙ローラ１７等が配置されている。
【００４３】
用紙ピックアップローラ１６は、給紙トレイ１０の端部に設けられ、給紙トレイ１０から記録用紙を１枚ずつ用紙搬送経路Ｓに供給する呼び込みローラである。搬送ローラ１３は、記録用紙の搬送を促進補助するための小型のローラであり、複数組設けられている。
【００４４】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、各感光体ドラム３及び中間転写ベルト７の回転にあわせて、記録用紙をタイミングよく搬送する。
【００４５】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００４６】
更に、記録用紙は、定着装置１２でカラーのトナー像を定着され、定着装置１２を通過した後、排紙ローラ１７によって用紙排出トレイ１５上にフェイスダウンで排出される。
【００４７】
また、記録用紙の表面だけではなく、裏面の印字を行う場合は、記録用紙を用紙搬送経路Ｓの排紙ローラ１７により搬送する途中で、排紙ローラ１７を停止させてから逆回転させ、記録用紙を反転経路Ｓｒに通して、記録用紙の表裏を反転させ、記録用紙をレジストローラ１４へと導き、記録用紙の表面と同様に、記録用紙の裏面に画像を記録して定着し、記録用紙を用紙排紙トレイ１５に排出する。
【００４８】
次に、画像読取り装置４１及び原稿搬送装置４２を詳しく説明する。図２は、画像読取り装置４１及び原稿搬送装置４２を拡大して示す断面図である。
【００４９】
原稿搬送装置４２は、その奥一辺をヒンジ（図示せず）により画像読取り装置４１の奥一辺に枢支され、その手前部分を上下させることにより開閉される。原稿搬送装置４２が開かれたときには、画像読取り装置４１のプラテンガラス４４が開放され、このプラテンガラス４４上に原稿が載置される。
【００５０】
画像読取り装置４１は、プラテンガラス４４、第１走査ユニット４５、第２走査ユニット４６、結像レンズ４７、及びＣＣＤ（Charge Coupled Device）４８等を備えている。第１走査ユニット４５は、照明装置５１及び第１反射ミラー５２を備えており、副走査方向Ｙへと原稿サイズに応じた距離だけ一定速度Ｖで移動しながら、プラテンガラス４４上の原稿を照明装置５１によって露光し、その反射光を第１反射ミラー５２により反射して第２走査ユニット４６へと導き、これにより原稿表面の画像を副走査方向Ｙに走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰り返し主走査方向に走査し、その度に、１主走査ラインのアナログ画像信号を出力する。
【００５１】
第１及び第２走査ユニット４５、４６には、それぞれのプーリー（図示せず）が設けられており、これらのプーリーにワイヤー（図示せず）が架け渡され、このワイヤーがステッピングモータにより駆動されて、第１及び第２走査ユニット４５、４６が同期移動される。
【００５２】
また、画像読取り装置４１は、静止原稿だけではなく、原稿搬送装置４２により搬送されている原稿表面の画像を読取ることができる。この場合は、図２に示すように第１走査ユニット４５を原稿読取りガラス６５下方の読取り範囲に移動させ、第１走査ユニット４５の位置に応じて第２走査ユニット４６を位置決めし、この状態で、原稿搬送装置４２による原稿の搬送を開始する。
【００５３】
原稿搬送装置４２では、ピックアップローラ５５を原稿トレイ５６上の原稿に押し当て回転させて、原稿を引き出して搬送し、原稿の先端をレジストローラ６２に突き当てて、この原稿の先端を揃えてから、原稿を原稿読取りガラス６５と読取りガイド板６６間に通過させ、原稿を排紙ローラ５８から排紙トレイ４９へと排出する。
【００５４】
この原稿の搬送に際し、第１走査ユニット４５の照明装置５１により原稿表面を原稿読取りガラス６５を介して照明し、原稿表面からの反射光を第１及び第２走行ユニット４５、４６の各反射ミラーにより結像レンズ４７へと導き、原稿表面からの反射光を結像レンズ４７によりＣＣＤ４８に集光させ、原稿表面の画像をＣＣＤ４８上に結像させ、これにより原稿表面の画像を読取る。
【００５５】
また、原稿の裏面を読取る場合は、中間トレイ６７をその軸６７ａ周りで点線で示すように回転させておき、原稿を排紙ローラ５８から排紙トレイ４９へと排出する途中で、排紙ローラ５８を停止させて、原稿を中間トレイ６７上に受け、排紙ローラ５８を逆回転させて、原稿を反転搬送路６８を介してレジストローラ６２へと導いて、原稿の表裏を反転させ、原稿表面の画像と同様に、原稿裏面の画像を読取り、中間トレイ６７を実線で示す元の位置に戻して、原稿を排紙ローラ５８から排紙トレイ４９へと排出する。
【００５６】
こうしてＣＣＤ４８により読取られた原稿表面の画像は、ＣＣＤ４８からアナログ画像信号として出力され、このアナログ画像信号がデジタル画像信号にＡ／Ｄ変換される。そして、このデジタル画像信号は、種々の画像処理を施されてから画像形成装置１００のレーザ露光装置１へと送受され、画像形成装置１００において画像が記録用紙に記録され、この記録用紙が複写原稿として出力される。
【００５７】
ところで、プラテンガラス４４又は原稿読取りガラス６５上の原稿を第１走査ユニット
４５の照明装置５１により照明しているが、この照明装置５１のＬＥＤアレイ７１の出射光の殆どを原稿に入射させて、光の損失を低減させるのが望ましい。
【００５８】
そこで、本実施形態の照明装置５１では、ＬＥＤアレイ７１の出射光を原稿側に直接導くと共に反射板７３へと導く導光部材７２と、導光部材７２により導かれて来た光を原稿側に反射させる反射板７３とを設け、これによりＬＥＤアレイ７１の出射光の殆どを原稿に入射させて、光の損失を低減させている。
【００５９】
また、後で詳しく述べるように導光部材７２を、直接出射部７７、間接出射部７８、及び延在部７９から構成して、これらによりＬＥＤアレイ７１の出射光をそれぞれ導き、これによっても光の損失を低減させている。
【００６０】
次に、本実施形態の照明装置５１の構成を詳しく説明する。図３は、第１走査ユニット４５を概略的に示す断面図である。また、図４は、第１走査ユニット４５を概略的に示す斜視図である。更に、図５は、図４とは逆の方向から見て第１走査ユニット４５を概略的に示す斜視図である。
【００６１】
図３乃至図５から明らかなように、第１走査ユニット４５は、照明装置５１、第１反射ミラー５２、及び移動フレーム７４を備えている。移動フレーム７４には照明装置５１及び第１反射ミラー５２が搭載され、この移動フレーム７４の両端が滑動自在に支持されて、プーリー、ワイヤー、及びステッピングモータにより移動フレーム７４が副走査方向Ｙに移動される。
【００６２】
照明装置５１は、基板７５、基板７５上に搭載されたＬＥＤアレイ７１、ＬＥＤアレイ７１を覆うように配置された導光部材７２、反射板７３、及び基台フレーム７４ａを備えている。これらの基板７５、ＬＥＤアレイ７１、導光部材７２、反射板７３、及び基台フレーム７４ａのいずれも、それらの長手方向が原稿ＭＳを読取るときの主走査方向Ｘに沿うように配置され、この主走査方向Ｘの読取り範囲と同程度の長さを有する。
【００６３】
基台フレーム７４ａは、第１走査ユニット４５の移動フレーム７４の内側に固定配置されたサブフレームであり、この基台フレーム７４ａの上面に基板７５が載せられて固定され、その上に導光部材７２が載せられている。また、反射板７３は、移動フレーム７４の内側で基板７５上のＬＥＤアレイ７１と平行になるようにかつ導光部材７２から離間して位置決め固定されている。導光部材７２と反射板７３間の隙間が主走査方向Ｘに沿うスリットＳｔとなっており、スリットＳｔの両側に、導光部材７２並びにＬＥＤアレイ７１と反射板７３とが振り分けて配置されている。
【００６４】
ＬＥＤアレイ７１は、基板７５上で主走査方向Ｘに列設された複数のＬＥＤ７６からなる。各ＬＥＤ７６が基板７５の配線パターンに接続され、基板７５の配線パターンがハーネス（図示せず）を通じて移動走査フレーム７４に搭載のドライバ回路（図示せず）に接続されている。このドライバ回路は、ハーネス及び基板７５の配線パターンを通じて各ＬＥＤ７６へと電力を供給し、各ＬＥＤ７６を点灯及び消灯制御する。
【００６５】
導光部材７２は、透光性を有する合成樹脂（アクリル等）又はガラスからなり、副走査方向Ｙの原稿読取り位置を中心とする照明範囲ｙとＬＥＤアレイ７１間に配置された直接出射部７７、反射板７３とＬＥＤアレイ７１間に配置された間接出射部７８、及び基板７５の左端部７５ａを覆うように該基板７５の表面側（ＬＥＤアレイ７１の搭載面側）から左端部７５ａへと延在する延在部７９を有している。これらの直接出射部７７、間接出射部７８、及び延在部７９は、相互に連結されて一体化されている。
【００６６】
直接出射部７７及び間接出射部７８は、基板７５の表面側を覆っている。直接出射部７７は、基板７５の斜め上方、つまり副走査方向Ｙの照明範囲ｙの側を覆い、また間接出射部７８は、基板７５の左方、つまり反射板７３側を覆っている。延在部７９は、間接出射部７８の下端を延長してなり、基板７５の左端部７５ａを覆う。
【００６７】
直接出射部７７の右端７７ａの複数箇所には、脚部７７ｂが設けられており、これらの脚部７７ｂが基板７５上に載せられている。これらの脚部７７ｂには、基台フレーム７４ａの上面右側に重なるそれぞれの固定片７７ｃが設けられている。
【００６８】
また、延在部７９の複数箇所に嵌合孔７９ａが形成されており、これらの嵌合孔７９ａの位置に対応する基台フレーム７４ａのそれぞれの箇所に側方に突出する突起部７４ｂが形成されている。
【００６９】
更に、間接出射部７８と延在部７９の接続箇所には、段差部７８ａが形成されており、この段差部７８ａが基板７５の左端部７５ａに当接して、この段差部７８ａの内側面が基板７５の表面及び端面に密接している。
【００７０】
ここで、基板７５と導光部材７２を重ね合わせて基台フレーム７４ａの上面に載せ、基板７５と導光部材７２を基台フレーム７４ａの上面でスライドさせて、延在部７９の各嵌合孔７９ａに基台フレーム７４ａの各突起部７４ｂを嵌合させる。また、直接出射部７７の右端７７ａ側の各脚部７７ｂを基板７５上に載せ、各脚部７７ｂの固定片７７ｃを基台フレーム７４ａの上面右側に重ね、各脚部７７ｂの固定片７７ｃを基台フレーム７４ａ上にネジ止めしたり基台フレーム７４ａのそれぞれの係合部７４ｃに係合させる。
【００７１】
これにより、導光部材７２が基台フーム７４ａに固定され、かつ基板７５が導光部材７２の段差部７８ａ並びに各脚部７７ｂと基台フレーム７４ａ間に挟み込まれて固定される。そして、先に述べたように段差部７８ａの内側面が基板７５の表面及び端面に密接する。
【００７２】
従って、基台フレーム７４ａにより導光部材７２及び基板７５が支持されている。この基台フレーム７４ａは、強固な筐体構造を有しているため、導光部材７２及び基板７５の反りを防止し、基板７５上のＬＥＤアレイ７１の反りも防止する。
【００７３】
直接出射部７７及び間接出射部７８の内側面（ＬＥＤアレイ７１に向く光入射面）は平坦面である。直接出射部７７及び間接出射部７８の光入射面がＬＥＤアレイ７１周りの相互に異なる位置に配置され、これらの光入射面がなす内角側にＬＥＤアレイ７１が配置されている。ここでは、内角を各光入射面がなす１８０°未満の角度とする。
【００７４】
また、間接出射部７８の光入射面（立上がり部）は、基板７５の表面から立ち上がり、基板７５の表面に対して角度β（＝１００°）で傾斜している。
【００７５】
更に、直接出射部７７及び間接出射部７８の外側面（副走査方向Ｙの照明範囲ｙ及び反射板７３に向く光出射面）は凸面である。これらの出射部７７、７８の外側の凸面は、出射部７７を透過した光及び出射部７８を透過して反射板７３で反射された光を副走査方向Ｙの照明範囲ｙに集光させるために形成されている。
【００７６】
また、導光部材７２と反射板７３の間の主走査方向Ｘに沿うスリットＳｔの真上に副走査方向Ｙの照明範囲ｙが設定され、このスリットＳｔの直下に第１反射ミラー５２が位置決めされている。
【００７７】
ＬＥＤアレイ７１の各ＬＥＤ７６の光出射面７６ａは、反射板７３側に向いており、各ＬＥＤ７６の光軸が左方向に向いている。各ＬＥＤ７６の光の出射範囲は、各ＬＥＤ７６の光軸を中心として、この光軸からいずれの方向にも略９０°までである。また、基板７５の表面が白色にされており、この基板７５の表面で各ＬＥＤ７６の出射光が反射される。このため、各ＬＥＤ７６の光の殆どが、基板７５の表面と各ＬＥＤ７６を通って基板７５表面に直交する垂直面との間に挟まれる９０°の範囲αに出射される。
【００７８】
また、反射板７３は、第１及び第２反射面７３ａ、７３ｂを有している。第１反射面７３ａは、ＬＥＤアレイ７１から出射され間接出射部７８もしくは延在部７９を透過して来た光を副走査方向Ｙの照明範囲ｙへと反射し得るように上方に向けて傾斜されている。更に、第１反射面７３ａは、延在部７９を透過して来た光を受けて反射することができるように基板７５表面よりも低い位置にある下側部分７３ｃを含む。また、第１反射面７３ａに対して第２反射面７３ｂを僅かに屈曲させて、第２反射面７３ｂの向きを変更している。
【００７９】
更に、第１反射ミラー５２は、主走査方向と平行にかつ走査面（プラテンガラス４４及び原稿読取りガラス６５の表面）に対して４５°傾斜して配置されている。
【００８０】
このような構成の照明装置５１においては、図６に示すように基板７５上のＬＥＤアレイ７１が発光すると、ＬＥＤアレイ７１からの出射光が、導光部材７２の直接出射部７７の光入射面に入射し、この直接出射部７７を透過して、直接出射部７７の外側の凸面により集光され、プラテンガラス４４及び原稿読取りガラス６５の表面（原稿の読取り基準位置）における副走査方向Ｙの照明範囲ｙへと入射する。
【００８１】
このＬＥＤアレイ７１から直接出射部７７を介して副走査方向Ｙの照明範囲ｙへの光の経路を直接経路Ｄとすると、この直接経路Ｄは、ＬＥＤアレイ７１から照明範囲ｙまでの最短の直線的な経路であり、この直接経路Ｄを経由した光により副走査方向Ｙの照明範囲ｙが照明される。
【００８２】
また、ＬＥＤアレイ７１から左方向への出射光の殆どは、導光部材７２の間接出射部７８の光入射面に入射し、この間接出射部７８を透過して、間接出射部７８の外側の凸面により集光され、反射板７３の第１反射面７３ａに入射して、第１反射面７３ａで反射され、副走査方向Ｙの照明範囲ｙに入射する。
【００８３】
このＬＥＤアレイ７１→間接出射部７８→第１反射面７３ａ→副走査方向Ｙの照明範囲ｙという光の経路を第１間接経路ｄａとすると、この第１間接経路ｄａは、第１反射面７３ａで屈曲されて、直接経路Ｄよりも長くされた経路である。この第１間接経路ｄａを経由した光によっても副走査方向Ｙの照明範囲ｙが照明される。
【００８４】
更に、導光部材７２の間接出射部７８の光入射面が基板７５の表面に対して角度β（＝１００°）をなして傾斜していることから、ＬＥＤアレイ７１から左方向にかつ基板７５表面と略平行に出射された光は、その間接出射部７８の光入射面に入射すると、基板７５の表面により近づく方向（下方向）に屈折して、間接出射部７８から基板７５の左端部７５ａを覆う延在部７９へと導かれる。そして、この延在部７９へと導かれた光は、該延在部７９の表面から出射されて反射板７３の第１反射面７３ａの下側部分７３ｃへと入射し、第１反射面７３ａの下側部分７３ｃで反射されて副走査方向Ｙの照明範囲ｙに入射する。
【００８５】
換言すれば、導光部材７２の間接出射部７８の光入射面は、ＬＥＤアレイ７１から基板７５表面と略平行に出射された光が間接出射部７８の光入射面に入射して屈折し延在部７
９へと導かれるような角度βで基板７５表面に対して傾斜している。この結果、延在部７９の表面から出射された光が、基板７５表面よりも低い位置にある反射板７３の第１反射面７３ａの下側部分７３ｃへと入射して反射される。
【００８６】
あるいは、角度βは、鈍角（９０°＜β＜１８０°）である。角度βが９０°よりも大きければ、ＬＥＤアレイ７１から基板７５表面と略平行に出射された光は、間接出射部７８の光入射面に入射すると、この光入射面で下方向に屈折して延在部７９へと導かれる。また、角度βが１８０°よりも小さければ、ＬＥＤアレイ７１から基板７５表面と略平行に出射された光が間接出射部７８の光入射面に入射し得、更に光入射面で下方向に屈折して延在部７９へと導かれる。
【００８７】
仮に、角度βが９０°以下であったならば、ＬＥＤアレイ７１から基板７５表面と略平行に出射された光は、間接出射部７８の光入射面に入射して直進するか上方向に屈折するので、延在部７９に導かれることはない。また、角度βが１８０°以上であったならば、ＬＥＤアレイ７１から基板７５表面と略平行に出射された光が間接出射部７８の光入射面に入射することはない。
【００８８】
このようなＬＥＤアレイ７１→間接出射部７８→延在部７９→第１反射面７３ａ→副走査方向Ｙの照明範囲ｙという光の経路を第２間接経路ｄｂとすると、この第２間接経路ｄｂも、第１間接経路ｄａと同様に、第１反射面７３ａで屈曲されて、直接経路Ｄよりも長くされた経路である。この第２間接経路ｄｂを経由した光によっても副走査方向Ｙの照明範囲ｙが照明される。
【００８９】
この第２間接経路ｄｂの近傍には段差部７８ａがあるので、この段差部７８ａでの散乱光もしくは迷光が多くなると、光のロスが大きくなる。ところが、先に述べたように段差部７８ａが基板７５の左端部７５ａに嵌合して、この段差部７８ａの内側面が基板７５の表面及び端面に密接していることから、段差部７８ａでの散乱光もしくは迷光が抑えられて、光のロスが小さくなっている。
【００９０】
また、ＬＥＤアレイ７１からの出射光は、導光部材７２の間接出射部７８を透過して、間接出射部７８の外側の凸面により集光され、反射板７３の第２反射面７３ｂに入射して、第２反射面７３ｂで反射され、プラテンガラス４４及び原稿読取りガラス６５の表面（原稿の読取り基準位置）よりも上方５ｍｍの位置における副走査方向Ｙの照明範囲ｙsに入射する。
【００９１】
このＬＥＤアレイ７１→間接出射部７８→第２反射面７３ｂ→副走査方向Ｙの照明範囲ｙｓという光の経路を第３間接経路ｄｃとすると、この第３間接経路ｄｃは、第２反射面７３ｂで屈曲されて、直接経路Ｄよりも長くされた経路である。この第３間接経路ｄｃを経由した光は、原稿の読取り基準位置よりも上方５ｍｍの位置における副走査方向Ｙの照明範囲ｙsを照明する。この上方５ｍｍの位置の照明範囲ｙsは、先に述べたように第１反射面７３ａに対して第２反射面７３ｂを僅かに屈曲させることにより設定されている。
【００９２】
図７（ａ）は、直接経路Ｄ、第１及び第２間接経路ｄａ、ｄｂにおける光強度を示すグラフであり、図７（ｂ）は、第３間接経路ｄｃにおける光強度を示すグラフである。
【００９３】
直接経路Ｄ、第１及び第２間接経路ｄａ、ｄｂにおける光は、直接出射部７７により導かれた光、間接出射部７８により導かれた光、及び延在部７９により導かれた光を含み、副走査方向Ｙの照明範囲ｙを照明する。そして、直接出射部７７及び間接出射部７８により導かれる光の割合が多く、この光が直接出射部７７の凸面及び間接出射部７８の凸面により集光されている。このため、直接経路Ｄ、第１及び第２間接経路ｄａ、ｄｂにおける
光強度は、図７（ａ）に示すように原稿ＭＳの表面（原稿の読取り基準位置）の位置で高くなり、この表面位置における副走査方向Ｙの照明範囲ｙで略一様のレベルを維持する。この照明範囲ｙは、この範囲ｙの中心（読取り位置）から副走査方向Ｙの前後いずれにも３ｍｍの幅、全幅６ｍｍを有する。
【００９４】
従って、原稿ＭＳの表面と同一高さにおける副走査方向Ｙの照明範囲ｙは、直接出射部７７を透過して形成される直線的な直接経路Ｄの光により照明されると共に、間接出射部７８並びに延在部７９を透過し反射板７３の第１反射面７３ａで反射されて形成される第１及び第２間接経路ｄａ、ｄｂの光により照明される。このため、原稿ＭＳの表面は、一様な強い光で照明される。
【００９５】
また、第３間接経路ｄｃにおける光は、間接出射部７８の凸面により集光される。このため、第３間接経路ｄｃにおける光強度は、図７（ｂ）に示すように原稿ＭＳの表面（原稿の読取り基準位置）よりも５ｍｍ高い位置で高くなり、この５ｍｍ高い位置における副走査方向Ｙの照明範囲ｙsで略一様のレベルを維持する。この照明範囲ｙsは、照明範囲ｙよりも狭くなっている。
【００９６】
従って、原稿ＭＳの表面よりも５ｍｍ高い位置における副走査方向Ｙの照明範囲ｙsは、間接出射部７８を透過し反射板７３の第２反射面７３ｂで反射されて形成される第３間接経路ｄｃの光により照明される。このため、原稿ＭＳの表面がプラテンガラス４４及び原稿読取りガラス６５の表面から浮いていても、この表面が照明される。例えば、図８に示すように本を開いてプラテンガラス４４上に置いた状態では、本の綴じた箇所ＭＳ１で各頁がプラテンガラス４４から浮くが、この浮いた各頁にも第３間接経路ｄｃの光が届いて、この浮いた各頁が照明される。
【００９７】
こうしてＬＥＤアレイ７１から出射された光は、導光部材７２もしくは反射板７３を介して、プラテンガラス４４又は原稿読取りガラス６５上の原稿ＭＳに照射される。そして、原稿ＭＳからの反射光は、スリットＳｔ（光の通過経路）を通過し、第１反射ミラー５２で反射され、この反射光が移動走査フレーム７４の側壁の開口部を通じて第２走査ユニット４６の第２反射ミラー５３へと出射される。
【００９８】
ここで、直接出射部７７は、この直接出射部７７の内側平坦面に入射した光を副走査方向Ｙの照明範囲ｙに導いて入射させることから、この直接出射部７７の内側平坦面の面積が広くなる程、この直接出射部７７から副走査方向Ｙの照明範囲ｙへと入射する光量が増大する。
【００９９】
同様に、間接出射部７８及び延在部７９は、この間接出射部７８の内側平坦面に入射した光を副走査方向Ｙの照明範囲ｙに導いて入射させることから、この間接出射部７８の内側平坦面の面積が広くなる程、間接出射部７８及び延在部７９から副走査方向Ｙの照明範囲ｙへと入射する光量が増大する。
【０１００】
このため、直接出射部７７の内側平坦面の面積及び間接出射部７８の内側平坦面の面積をそれぞれ適宜に設定することにより、直接出射部７７を透過して副走査方向Ｙの照明範囲ｙへと入射する光量と間接出射部７８及び延在部７９を透過し反射板７３の第１反射面７３ａで反射されて副走査方向Ｙの照明範囲ｙへと入射する光量との割合を調節することができる。
【０１０１】
また、直接出射部７７を透過して照明範囲ｙへと入射する光は、直接出射部７７により集光され、かつ略直線的な短い直接経路Ｄを経由するので、その光による照明レベルが高くなるが、ＬＥＤ７１の各ＬＥＤ７６の離間配置を原因とする照明ムラが生じ易い。
【０１０２】
これに対して間接出射部７８、延在部７９、及び反射板７３の第１反射面７３ａを介して照明範囲ｙへと入射する光は、間接出射部７８により集光されるものの、屈曲した長い第１間接経路ｄａ及び第２間接経路ｄｂを経由するので、直接出射部７７を透過した光と比較すると、分散光となっており、その光による照明レベルが低くても、照明ムラが少ない。
【０１０３】
このため、直接出射部７７の面積及び間接出射部７８の面積をそれぞれ適宜に設定することにより、直接出射部７７を透過して照明範囲ｙへと入射する光量と間接出射部７８、延在部７９、及び反射板７３の第１反射面７３ａを介して照明範囲ｙへと入射する光量との割合を調節して、照明レベルと照明ムラを調節することができる。
【０１０４】
具体的には、ＬＥＤアレイ７１の光出射面７１ａを反射板７３側に向けていることから、ＬＥＤアレイ７１からの出射光の光量が反射板７３の向きで多くなっているが、間接出射部７８の面積を直接出射部７７の面積よりも小さくすることにより、間接出射部７８、延在部７９、及び反射板７３の第１反射面７３ａを介して照明範囲ｙへと入射する光量と直接出射部７７を介して照明範囲ｙへと入射する光量との比を、例えば４：６〜５：５に設定し、照明レベルと照明ムラを適宜に調節することができる。
【０１０５】
また、直接出射部７７を透過して照明範囲ｙに入射する光の入射方向と反射板７３で反射されて照明範囲ｙに入射する光の入射方向とが異なる。このため、例えば図９に示すように原稿ＭＳの後端部ｍが照明範囲ｙにあって、反射板７３の第１反射面７３ａで反射された光が原稿ＭＳの後端部ｍに入射して、後端部ｍの影が生じる状況でも、直接出射部７７を透過した光の入射によりその影が消失する。すなわち、原稿ＭＳの後端部ｍが前後方向からの光により照射されるので、原稿ＭＳの後端部ｍの影が生じず、ＣＣＤ４８により読取られた原稿画像に影が生じることもない。このためには、間接出射部７８及び反射板７３の第１反射面７３ａを介して照明範囲ｙへと出射される光量と直接出射部７７を介して照明範囲ｙへと出射される光量との比を４：６程度に設定するのが好ましい。
【０１０６】
更に、直接出射部７７の内側平坦面と間接出射部７８の内側平坦面が相互に異なるそれぞれの方向からＬＥＤアレイ７１の各ＬＥＤ７６に対峙している。このため、導光部材７２の位置ずれが生じても、ＬＥＤアレイ７１から直接出射部７７への入射光量及びＬＥＤアレイ７１から間接出射部７８への入射光量が同時に大幅に減少するような事態が生じ難く、光の損失が低く抑えられる。
【０１０７】
また、図３及び図４に示すように直接出射部７７がＬＥＤアレイ７１の斜め上方を覆い、また間接出射部７８がＬＥＤアレイ７１の左方を覆っているので、角度９０°の範囲αにおけるＬＥＤアレイ７１の出射光の殆どが直接出射部７７、間接出射部７８、及び延在部７９を透過して照明範囲ｙへと入射し、光の損失を低く抑えることができる。
【０１０８】
また、基板７５の表面を白色面としているので、基板７５の表面で反射された光も直接出射部７７及び間接出射部７８を透過して照明範囲ｙに入射することになり、光の損失をより低く抑えることができる。
【０１０９】
更に、基板７５が導光部材７２と基台フレーム７４ａ間に挟みこまれて強固に支持されているので、直接出射部７７、間接出射部７８、及び延在部７９と基板７５上のＬＥＤアレイ７１間の高精度な位置決めが可能となり、また位置ずれが生じ難く、この位置ずれによる光の損失を防止することができる。
【０１１０】
図１０は、本発明の照明装置の第２実施形態を適用した画像読取り装置の第１走査ユニ
ットを概略的に示す断面図である。尚、図１０において、図３と同様の作用を果たす部位には同じ符号を付す。
【０１１１】
本実施形態の照明装置５１Ａは、図３の照明装置５１と同様に、図２の画像読取り装置４１における第１走査ユニット４５に搭載されるものであり、この画像読取り装置４１が図１の画像形成装置１００に適用される。
【０１１２】
この照明装置５１Ａでは、図３における導光部材７２の代わりに、導光部材７２Ａを適用している。この導光部材７２Ａは、図３における導光部材７２と同様の直接出射部７７及び間接出射部７８を有しているが、図３における導光部材７２の延在部７９の代わりに、延在部８１を有している点が異なる。
【０１１３】
この導光部材７２Ａの延在部８１は、基板７５の左端部７５ａを覆うように該基板７５の表面側（ＬＥＤアレイ７１の搭載面側）から左端部７５ａへと延長されたものであり、その下端を斜めにカットしてなるカット面８１ａを有している。ＬＥＤアレイ７１から間接出射部７８を介して延在部８１へと導かれて来た光は、カット面８１ａで全反射されて副走査方向Ｙの照明範囲ｙへと出射される。
【０１１４】
このカット面８１ａでの全反射を実現するには、図１１に示すようにカット面８１ａに対する光の最小入射角γが臨界角以上となるように該カット面８１ａの向きを設定する。例えば、導光部材７２Ａを透明なアクリル樹脂で形成した場合は、臨界角が４２°１０′となる。また、ＬＥＤアレイ７１から間接出射部７８を介して延在部８１のカット面８１ａへと入射する光の最小入射角γは、間接出射部７８の光入射面で屈折して基板７５の左端部７５ａの角近傍を通過した光の入射角である。従って、カット面８１ａに対する光の最小入射角γが臨界角以上となるような該カット面８１ａの向きを作図等により予め求めて設定することができる。
【０１１５】
このような延在部８１を形成した構成では、ＬＥＤアレイ７１から左方向にかつ基板７５表面と略平行に出射された光は、導光部材７２の間接出射部７８の光入射面で基板７５の表面により近づく方向（下方向）に屈折して、間接出射部７８から基板７５の左端部７５ａを覆う延在部８１へと導かれ、この延在部８１のカット面８１ａで反射されて副走査方向Ｙの照明範囲ｙに入射する。このＬＥＤアレイ７１→間接出射部７８→延在部８１のカット面８１ａ→副走査方向Ｙの照明範囲ｙという光の経路を第２間接経路ｄｂｂとする。
【０１１６】
また、図３の照明装置５１と同様に、ＬＥＤアレイ７１→直接出射部７７→副走査方向Ｙの照明範囲ｙという直接経路Ｄ、ＬＥＤアレイ７１→間接出射部７８→第１反射面７３ａ→副走査方向Ｙの照明範囲ｙという第１間接経路ｄａ、及びＬＥＤアレイ７１→間接出射部７８→第２反射面７３ｂ→副走査方向Ｙの照明範囲ｙｓという第３間接経路ｄｃを通じて、それぞれの照明がなされる。
【０１１７】
従って、本実施形態の照明装置５１Ａにおいても、図３の照明装置５１と同様に、直接経路Ｄ、第１及び第２間接経路ｄａ、ｄｂｂにおける光により原稿の読取り基準位置の照明範囲ｙを照明し、かつ第３間接経路ｄｃにおける光により原稿の読取り基準位置よるも５ｍｍ高い位置の照明範囲ｙsを照明することができる。
【０１１８】
また、この第２間接経路ｄｂｂにおいても、ＬＥＤアレイ７１から基板７５表面と略平行に出射された光を導くので、段差部７８ａでの散乱光もしくは迷光が多くなると、光のロスが大きくなるが、段差部７８ａの内側面を基板７５の表面及び端面に密接させていることから、段差部７８ａでの散乱光もしくは迷光を抑えて、光のロスを小さくすることが
できる。
【０１１９】
このように上記各実施形態では、導光部材７２に、基板７５の左端部７５ａを覆うように該基板７５の表面側（ＬＥＤアレイ７１の搭載面側）から左端部７５ａへと延在する延在部７９、８１を設けているので、ＬＥＤアレイ７１から基板７５表面と略平行に出射された光を延在部７９、８１により導いてコントロールすることができ、ＬＥＤアレイ７１の出射光の損失の低減を図ることが可能になる。
【０１２０】
例えば、導光部材７２の延在部７９によって導かれた光を反射板７３の第１反射面７３ａで反射して原稿を照明したり、あるいは延在部８１によって導かれた光を該延在部８１のカット面８１ａにより反射して原稿を照明することができる。
【０１２１】
また、導光部材７２の間接出射部７８の光入射面が基板７５の表面に対して鈍角βをなして傾斜していることから、ＬＥＤアレイ７１から左方向にかつ基板７５表面と略平行に出射された光は、その間接出射部７８の光入射面で基板７５の表面により近づく方向に屈折して、延在部７９へと導かれる。このため、延在部７９の効果が顕著に現れる。
【０１２２】
尚、間接出射部７８の光入射面が基板７５の表面に対して９０°以下であっても、ＬＥＤアレイ７１から左方向にかつ基板７５表面と略平行に出射された光の一部が間接出射部７８の光入射面で屈折して延在部７９、８１へと導かれるのであれば、この光の一部を延在部７９、８１により導いてコントロールし、光の損失の低減を図ることができる。
【０１２３】
更に、導光部材７２、７２Ａの段差部７８ａの内側面が基板７５の表面及び端面に密接しているので、段差部７８ａでの散乱光もしくは迷光が抑えられて、光のロスが小さくされる。
【０１２４】
また、導光部材７２、７２Ａを基台フーム７４ａに固定し、導光部材７２、７２Ａと基台フレーム７４ａ間に基板７５を挟み込んで固定しているので、基台フレーム７４ａにより導光部材７２及び基板７５が補強され、導光部材７２、７２Ａ、基板７５、及び基板７５上のＬＥＤアレイ７１に反りが生じすることはない。
【０１２５】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１２６】
１  レーザ露光装置
２  現像装置
３  感光体ドラム
４  クリーナ装置
５  帯電器
８  中間転写ベルト装置
１０  給紙トレイ
１１  ２次転写装置
１２  定着装置
４１  画像読取り装置
４２  原稿搬送装置
４４  プラテンガラス
４５  第１走査ユニット
４６  第２走査ユニット
４７  結像レンズ
４８  ＣＣＤ（Charge Coupled Device）
５１  照明装置
５２  第１反射ミラー
５３  第２反射ミラー
５４  第３反射ミラー
６５  原稿読取りガラス
７１  ＬＥＤアレイ
７２、７２Ａ  導光部材
７３  反射板
７４  移動フレーム
７５  基板
７６  ＬＥＤ
７７  直接出射部
７８  間接出射部
７９、８１  延在部
１００  画像形成装置
【図１】
2011142415.tif 000003
【図２】
2011142415.tif 000004
【図３】
2011142415.tif 000005
【図４】
2011142415.tif 000006
【図５】
2011142415.tif 000007
【図６】
2011142415.tif 000008
【図７】
2011142415.tif 000009
【図８】
2011142415.tif 000010
【図９】
2011142415.tif 000011
【図１０】
2011142415.tif 000012
【図１１】
2011142415.tif 000013